(57)【要約】【課題】梁に下地木材を取り付ける必要がなく、梁の下側フランジの幅の範囲内で吊り棒部を上記梁に垂下固定させることができる吊り支持具を提供する。【解決手段】吊り支持具１は、梁９５の下側フランジ９５ａに着脱可能に装着される上側構成部１１と、上記上側構成部１１の下面側に空間Ｓを形成するとともに上記空間Ｓに通じる係止孔１２ｄを有する下側構成部１２と、上記係止孔１２ｄに下から挿入されて係止される吊り棒部１３と、を備える。上記空間Ｓは、上記下側フランジ９５ａの幅の方向に長く形成されており、上記吊り棒部１３の位置を上記下側フランジ９５ａの幅方向に位置調整できる。また、上記上側構成部１１は、上記下側フランジ９５ａの幅と厚さの相違に応じて把持範囲の幅と高さを調整する調整部材１４を備えている。【選択図】図５
2015008897.tif 000002
【特許請求の範囲】
【請求項１】
梁の下側フランジに着脱可能に装着される上側構成部と、上記上側構成部の下面側に空間を形成するとともに上記空間に通じる係止孔を有する下側構成部と、上記係止孔に下から挿入されて係止される吊り棒部と、を備えたことを特徴とする吊り支持具。
【請求項２】
請求項１に記載の吊り支持具において、上記上側構成部は上記下側フランジの幅と厚さの相違に応じて把持範囲の幅と高さを調整する調整部材を備えていることを特徴とする吊り支持具。
【請求項３】
請求項１または請求項２に記載の吊り支持具において、上記空間および上記係止孔は上記梁の幅方向に長く形成されていることを特徴とする吊り支持具。
【発明の詳細な説明】
【技術分野】
【０００１】
この発明は、キッチン吊り戸や天井扇などの重量物の吊り支持に用いられる吊り支持具に関する。
【背景技術】
【０００２】
キッチン吊り戸や天井扇などの重量物を天井から吊り支持する場合、天井板自体ではなく、天井裏に存在する梁（Ｈ型鋼）から吊り下げることが行われる。従来においては、図６（Ａ）および図６（Ｂ）に示すように、梁１０１の上下フランジ１０１ａ間にウェブ１０１ｂを挟み込むように２個の下地木材１０２を打ち叩いて固定し、この下地木材１０２に釘で固定した側板１０３によって、下側のフランジ１０１ａの下方に支持木１０４を配置固定している。そして、上記支持木１０４に形成された縦貫通孔に吊り棒である全ネジボルト１０５を挿入し、上記支持木１０４の上面と下面に設けたナットを締めて上記全ネジボルト１０５を上記支持木１０４から垂下固定している。
【０００３】
また、特許文献１には、梁に取付けるための梁取付部と、該梁取付部から延出する延長部材と、該延長部材に連結された本体部と、を備えた天井吊金物であって、前記本体部は、前記梁と略平行な方向に延出し上下方向に対向して配置された一対の側壁と、該一対の側壁を連繋する連繋壁とを備え、前記一対の側壁の所定の位置には、前記側壁の内面よりも内側へ突出する弾性係合部が設けられた天井吊金物が開示されている。
【先行技術文献】
【特許文献】
【０００４】
【特許文献１】特許第４１８０４１９号
【発明の概要】
【発明が解決しようとする課題】
【０００５】
しかしながら、上記下地木材１０２を用いた従来の吊り支持構造では、上記下地木材１０２を打ち叩いて固定するなど、現場での作業負担が大きい。また、経年変化で上記下地木材１０２が痩せてがたつきが発生するおそれがある。さらに、キッチン吊り戸や天井扇などの吊り下げたい位置から上記全ネジボルト１０５がずれている場合には、上記作業をやり直す必要が生じる。
【０００６】
また、上記特許文献１に記載の天井吊金物を利用する場合には、上記梁１０１の下側フランジ１０１ａの幅の範囲から外れた位置に上記全ネジボルト１０５を垂下させることになる。すなわち、上記下側フランジ１０１ａの真下などに上記全ネジボルト１０５を垂下させることができない。
【０００７】
この発明は、上記の事情に鑑み、梁に下地木材を取り付ける必要がなく、梁の下側フランジの下方に吊り棒部を垂下固定させることができる吊り支持具を提供することを課題とする。
【課題を解決するための手段】
【０００８】
この発明は、上記の課題を解決するために、梁の下側フランジに着脱可能に装着される上側構成部と、上記上側構成部の下面側に空間を形成するとともに上記空間に通じる係止孔を有する下側構成部と、上記係止孔に下から挿入されて係止される吊り棒部と、を備えたことを特徴とする。
【０００９】
上記の構成であれば、梁の下側フランジに着脱可能に装着される上側構成部を備えるので、梁に下地木材を取り付ける必要がなく、また、上記上側構成部の下面側に上記空間および係止孔を形成する下側構成部を備えるので、梁の下側フランジの下方に吊り棒部を垂下固定させることができる。また、上記上側構成部における上記梁への装着位置を変えることで上記吊り棒部の位置を上記梁の延設方向に位置調整することができる。
【００１０】
上記上側構成部は上記下側フランジの幅と厚さの相違に応じて把持範囲の幅と高さを調整する調整部材を備えていてもよい。
【００１１】
また、上記空間および上記係止孔は上記梁の幅方向に長く形成されていてもよい。これによれば、上記吊り棒部の位置を上記梁の幅方向に位置調整することができる。
【発明の効果】
【００１２】
本発明であれば、梁の下側フランジに着脱可能に装着される上側構成部を備えるので、梁に下地木材を取り付ける必要がなく、位置調整も簡単になる。また、梁の下側フランジの下方に吊り棒部を垂下固定させることができる等の諸効果も奏する。
【図面の簡単な説明】
【００１３】
【図１】本発明の実施形態にかかる吊り支持具が用いられた重量物支持の構造が示された説明図である。
【図２】同図（Ａ）は図１に示された重量物支持の構造の断面図であり、同図（Ｂ）はＡ−Ａ矢視断面の概略図である。
【図３】本発明の実施形態にかかる吊り支持具を示した図であって、同図（Ａ）は平面図、同図（Ｂ）は正面図、同図（Ｃ）は側面図である。
【図４】図３の吊り支持具の部品を示した図であって、同図（Ａ）は上側構成部の図、同図（Ｂ）は下側構成部の図、同図（Ｃ）は調整部材の図である。
【図５】同図（Ａ）および同図（Ｂ）は幅と厚さが異なる下側フランジに装着された吊り支持具を示した図である。
【図６】従来の吊り支持具が用いられた重量物支持の構造が示された説明図であって、同図（Ａ）は平面図、同図（Ｂ）は正面図である。
【発明を実施するための形態】
【００１４】
以下、この発明の実施の形態を添付図面に基づいて説明する。
図１、図２（Ａ）および図２（Ｂ）に示すように、例えば、キッチンに設けられるレンジフード９０の横位置に垂壁９１がこの発明の実施形態の吊り支持具１によって支持される。そして、上記垂壁９１に対面吊り戸収納棚９２が固定される。また、上記吊り支持具１は天井９３の裏に位置している梁（Ｈ型鋼）９５の下側フランジ９５ａに取り付けられている。上記吊り支持具１の吊り棒部１３は例えば全ネジボルトからなり、これに螺合されたナット９６によって支持される受け部９７が上記垂壁９１を支持する。また、上記天井９３は鋼製天井パネル等からなり、この鋼製天井パネル上に天井キッチン吊戸棚用下地やリビング側吊戸収納用下地などが設けられる。
【００１５】
上記吊り支持具１は、例えば、図３（Ａ）、図３（Ｂ）および図３（Ｃ）に示すように、上記下側フランジ９５ａに着脱可能に装着される上側構成部１１と、上記上側構成部１１の下面側に空間Ｓを形成するとともに上記空間Ｓに通じる係止孔１２ｄを有する下側構成部１２と、上記係止孔１２ｄに下から挿入されて係止される吊り棒部１３と、を備える。上記空間Ｓは、上記下側フランジ９５ａの幅の方向に長く形成されている。また、上記上側構成部１１は、上記下側フランジ９５ａの幅と厚さの相違に応じて把持範囲の幅と高さを調整する調整部材１４を備えている。上記上側構成部１１、上記下側構成部１２および上記調整部材１４は、各々１枚の金属板が曲げ加工されることで形成されている。
【００１６】
上側構成部１１は、上記下側フランジ９５ａの幅よりも長い本体部を有しており、この本体部は上記下側フランジ９５ａの幅の方向に直交する面による断面が略コ字形状を有している。具体的には、上記本体部の水平板部の両端に下方に直角に曲がる補強片部１１ａが形成された構造を有しており、また、この補強片部１１ａによって上記空間Ｓが確保される。また、上記上側構成部１１は、図４（Ａ）にも示すように、一方の端部が上方向に曲がって本体部側に折り返す折り返し部１１ｂを有している。上記折り返し部１１ｂに上記下側フランジ９５ａの一方の縁が係止される。さらに、上記上側構成部１１の上記水平板部には、上記下側フランジ９５ａの幅方向に長いフランジ幅調整用長孔１１ｃが形成されている。
【００１７】
上記下側構成部１２は、上記下側フランジ９５ａの幅よりも長く且つ上記上側構成部１１の幅よりも広い幅の本体部を有しており、この本体部は上記下側フランジ９５ａの幅の方向に直交する面による断面が略コ字形状を有している。具体的には、上記本体部の水平板部の両端に上方に直角に曲がる補強片部１２ａが形成された構造を有している。また、図４（Ｂ）にも示すように、上記下側構成部１２は、上記補強片部１２ａが形成されていない端部が上方向に曲げられて本体部側に折り返された折り返し部１２ｂを有している。この折り返し部１２ｂは上記折り返し部１１ｂの上側に曲げられ、最先端部は上記折り返し部１１ｂの最先端部を越えた位置で下方に鉤状に曲げられ、上記折り返し部１１ｂの最先端部に引っ掛けられている。また、上記下側構成部１２の上記水平板部には、上記下側フランジ９５ａの幅方向に長いフランジ幅調整用長孔１２ｃが形成されている。
【００１８】
さらに、上記下側構成部１２の上記水平板部には、上記係止孔１２ｄが上記フランジ幅調整用長孔１２ｃと上記折り返し部１２ｂの間の位置に形成されている。上記係止孔１２ｄは、上記下側フランジ９５ａの幅方向に長く形成されている。また、上記係止孔１２ｄには、係止孔本体部よりも幅が大きい挿入用孔部が上記フランジ幅調整用長孔１２ｃに近い側に形成されており、上記係止孔本体部が上記下側フランジ９５ａの下に位置するようにしている。
【００１９】
上記調整部材１４は、上記上側構成部１１の幅よりも広く且つ上記下側構成部１２の幅よりも狭い本体部を有しており、この本体部は上記下側フランジ９５ａの幅の方向に直交する面による断面が略コ字形状を有している。具体的には、上記本体部の水平板部の両端に上方に直角に曲がる立上部１４ａが形成された構造を有している。そして、上記立上部１４ａには、図４（Ｃ）にも示すように、上記下側フランジ９５ａの縁が入る凹部１４ｂが上記折り返し部１１ｂに対面するように形成されている。上記凹部１４ｂは上記下側フランジ９５ａの厚さの相違に応じて把持範囲の幅と高さが選択できるように上側部分は階段状に形成されている。上記凹部１４ｂによって上記下側フランジ９５ａの他方の縁が支持される。また、上記立上部１４ａには、上記凹部１４ｂの上側の位置に補強リブ部が形成されている。
【００２０】
また、上記調整部材１４の上記水平板部は上記上側構成部１１と上記下側構成部１２の間に位置しており、これら上記上側構成部１１と上記下側構成部１２に対して移動可能に設けられる。そして、上記調整部材１４の水平板部には上下方向に貫通する角孔が上記フランジ幅調整用長孔１１ｃ、１２ｃの位置上に形成されており、この角孔にボルト１４ｃが挿入されている。上記ボルト１４ｃの角軸部は、上記フランジ幅調整用長孔１１ｃおよび上記孔を通り、上記フランジ幅調整用長孔１２ｃの下方に軸部先端を突き出している。この軸部先端のねじ部には蝶ナット１４ｄが螺合されている。この蝶ナット１４ｄを締めると、上記ボルト１４ｃの頭部と上記蝶ナット１４ｄとの間に位置する上記上側構成部１１の補強片部１１ａと上記下側構成部１２の上記水平板部とが上記調整部材１４の上記水平板部を挟んで固定する。
【００２１】
上記吊り棒部１３の上端には大径部１３ａが設けられており、その下側にナット１３ｂが螺合されている。また、上記吊り棒部１３の下部側に上記ナット９６および上記受け部９７が設けられている。上記吊り棒部１３は、上記大径部１３ａが上記係止孔１２ｄの挿入用孔部から挿入されて係止孔本体部の側へ移動される。適当な位置に移動させて上記ナット１３ｂが締められると、当該吊り棒部１３が上記下側構成部１２に固定される。また、上記吊り棒部１３に設けられている受け金の端部には上向きに屈曲された食い込み部が形成されており、この食い込み部が垂壁に食い込むようになっている。
【００２２】
上記吊り支持具１であれば、図５（Ａ）に示すように、梁９５に下地木材を取り付ける必要がなく、梁９５の下側フランジ９５ａの下方に吊り棒部１３を垂下固定させることができる。また、上記蝶ナット１４ｄを緩め、図において紙面垂直方向に上記上側構成部１１の装着位置を変えることで上記吊り棒部１３の位置を上記梁９５の延設方向に位置調整することができる。さらに、上記空間Ｓおよび上記下側構成部１２の上記係止孔１２ｄが上記梁９５の幅方向に長く形成されているので、上記下側構成部１２に対する上記吊り棒部１３の位置を上記係止孔１２ｄに沿って変えることで、上記吊り棒部１３の位置を上記梁９５の幅内で調整することができる。
【００２３】
さらに、上記調整部材１４を備えていると、図５（Ｂ）に示すように、下側フランジの幅と厚さの相違する梁に対応することができる。具体的には、上記上側構成部１１と上記下側構成部１２に形成された上記フランジ幅調整用長孔１１ｃおよび上記フランジ幅調整用長孔１２ｃに沿って上記調整部材１４を図の矢印方向に移動させることで、上記凹部１４ｂにおいて、上記下側フランジ９５ａの厚さの相違に応じて把持範囲の幅と高さを選択することができる。そして、このように選択した後、上記蝶ナット１４ｄを締めつけて上記調整部材１４の位置を固定することができる。
【００２４】
なお、図３に示しているように、上記調整部材１４にバネ掛け部１４ｅを設け、また、上記上側構成部１１にもバネ掛け部１１ｅを設けておき、図示しないバネで上記調整部材１４を上記折り返し部１１ｂの方向に引っ張る構成とすることにより、上側構成部１１が上記梁９５の下側フランジ９５ａに着脱可能に装着されるようにしてもよい。
【００２５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２６】
１      吊り支持具
１１    上側構成部
１１ａ  補強片部
１１ｂ  折り返し部
１１ｃ  フランジ幅調整用長孔
１２    下側構成部
１２ａ  補強片部
１２ｂ  折り返し部
１２ｃ  フランジ幅調整用長孔
１２ｄ  係止孔
１３    吊り棒部
１３ａ  大径部
１３ｂ  ナット
１４    調整部材
１４ａ  立上部
１４ｂ  凹部
１４ｃ  ボルト
１４ｄ  蝶ナット
【図１】
2015008897.tif 000003
【図２】
2015008897.tif 000004
【図３】
2015008897.tif 000005
【図４】
2015008897.tif 000006
【図５】
2015008897.tif 000007
【図６】
2015008897.tif 000008